(57)【要約】【課題】ひび割れガラス球１が球の中心から全表面に向かって放射状に広がる沢山のひび割れを有しているため、光源５の光がひび割れガラス球１の裏側には到達せず、光源５のある側からしかひび割れガラス球１の美しさを観賞できないうえに、ガラス球が持っている凸レンズとしての働きや透明感や表面の艶も失われ、また、衝撃や急激な温度変化によってひび割れガラス球１が完全に割れてしまう可能性があり、商品としての照明を構成するのに不安があった。【解決手段】ひび割れガラス球１のひび割れ３に透明樹脂２を浸透させて、ひび割れの光学的働きを調節するとともに、ひび割れガラス球１に凸レンズとしての働きや透明感や表面の艶を復活せさせ、また、ひび割れガラス球１のひび割れ３を透明樹脂２で強固に接着して、ひび割れガラス球１に無傷のガラス球に匹敵する強度を持たせる。【選択図】        図７
2004265747.tif 000002
【特許請求の範囲】
【請求項１】
ひび割れガラス球（１）のひび割れ（３）に透明樹脂（２）を浸透させた透明樹脂浸透ひび割れガラス球（６）と光源（５）を組み合わせた照明。
【発明の詳細な説明】
【０００１】
【発明の属する技術分野】
本発明は、ひび割れガラス球のひび割れに透明樹脂を浸透させて、ひび割れの光学的働きを調節するとともに、ガラス球としての凸レンズの働きや透明感を復活させた透明樹脂浸透ひび割れガラス球と光源を組み合わせた装飾的な照明に関する。
【０００２】
【従来の技術】
従来、ガラス球の内部を細かくひび割れさせたひび割れガラス球と光源を組み合わせて、光源からの光をひび割れで反射させる装飾的な照明の技術があった（特許公開平６−１２９０２号公報参照）。
【０００３】
【発明が解決しようとする課題】
従来のひび割れガラス球（１）と光源を組み合わせた装飾的な照明の技術にあっては、ひび割れガラス球（１）が、図３と図４に示すように、ガラス球の中心から全表面に向かって放射状に広がる沢山のひび割れ（３）を有しているために、図５に示すように、光源（５）からの光が、光源に面した側のひび割れ（３）で全て反射してしまい、光源からの光が、ひび割れガラス球の裏側には到達しないために、光源のある側からしかひび割れガラス球の美しさを観賞できなかった。
【０００４】
また、ひび割れガラス球（１）は沢山のひび割れ（３）を有していて、普通のガラス球が持っている凸レンズとしての働きを失っているために、光源からの光をひび割れガラス球の内部で屈折させて、光の進行方向を変化させることができなかった。
【０００５】
また、ひび割れガラス球（１）は、球の表面全体を覆う細かなひび割れのために、普通のガラス球が持っている透明感や表面の艶を失っていてガラス球としての美しさに欠けるうえに、空気と接している球の表面の裏側での光の反射による美しさも得られなかった。
【０００６】
また、ひび割れガラス球（１）は、球の表面全体を細かな均一のひび割れが覆っているために、光源からの光が、ひび割れで均一に反射されるだけで変化に乏しい美しさしか得られなかった。
【０００７】
また、ひび割れガラス球（１）は、球の表面から中心に至るまで内部全体が細かくひび割れているために、衝撃や急激な温度変化などによってひび割れガラス球が完全に割れてしまう可能性があった。
【０００８】
商品には輸送中や使用中に大きな衝撃が加わる可能性があり、また、照明器具には光源が付いているので急激な温度変化が加わる可能性があり、ひび割れガラス球（１）が脆くて壊れ易いという欠点は、ひび割れガラス球（１）を使って商品を構成する上での大きな不安材料だった。
【０００９】
本発明は、上記のような、従来のひび割れガラス球（１）と光源を組み合わせた装飾的な照明の欠点を解消して、家庭から大規模な商業施設まで広範囲に利用できる装飾的な照明を提供することを目的とする。
【００１０】
ひび割れガラス球（１）のひび割れ（３）に透明樹脂（２）を浸透させて、ひび割れの光学的働きを調節するとともに、ひび割れガラス球（１）に凸レンズとしての働きや透明感を復活せさせ、また、ひび割れガラス球（１）のひび割れ（３）を透明樹脂（２）で強固に接着して、ひび割れガラス球（１）に無傷のガラス球に匹敵する強度を持たせる。
【００１１】
【課題を解決するための手段】
上記目的を達成するために、本発明の透明樹脂浸透ひび割れガラス球を使った照明においては、ひび割れガラス球（１）のひび割れ（３）に透明樹脂（２）を浸透させて、ひび割れの光学的働きを調節するとともに、ひび割れガラス球（１）に普通のガラス球が持っている凸レンズとしての働きや透明感や表面の艶を復活せさせ、また、ひび割れガラス球（１）のひび割れ（３）を透明樹脂（２）で強固に接着して、ひび割れガラス球（１）に無傷のガラス球に匹敵する強度を持たせる。
【００１２】
また、実験結果から、ひび割れガラス球（１）のひび割れ（３）に透明樹脂液が浸透していく深さは均一ではなく、透明樹脂液の浸透がひび割れガラス球（１）の表面に近い部分にとどまるひび割れもあれば、透明樹脂液の浸透がひび割れガラス球（１）の中心まで到達するひび割れもあるので、その現象を利用して、透明樹脂浸透ひび割れガラス球（６）のひび割れを疎にする。
【００１３】
本発明の透明樹脂浸透ひび割れガラス球を使った照明に用いるひび割れガラス球（１）は、ガラス球の中心までガラスでできたガラス球を６００度から７００度の高温に加熱し、この高温になったガラス球を水中に沈めて急速に冷却することにより得られる。
【００１４】
高温に加熱されたガラス球が水中で急速に冷却されて、ひび割れていく様子を観察すると、ごく短時間で進行することではあるが、ガラス球の表面全体から網の目状にひび割れ、このひび割れがガラス球の中心へと進行していくことが観察される。
【００１５】
図４は、上記により得られたひび割れガラス球（１）に刃物のノミを沿えて衝撃力を加えて、ひび割れガラス球（１）を二分割した分割面を拡大鏡で目視し、図としたものであり、図に示す割れ目の線に囲まれた一つ一つの部分が、小さな面積の平面状のひび割れであることが目視でき、これにより、ひび割れを入れたガラス球の内部に、多数の小面積の平面状のひび割れが、球の中心から全表面に向かって放射状に広がるように生じていることが分かる。
【００１６】
図３は、ひび割れガラス球（１）を拡大鏡で目視し、図としたものである。
【００１７】
図１に示すように、ひび割れガラス球（１）のひび割れ（３）に透明樹脂（２）を浸透させて透明樹脂浸透ひび割れガラス球（６）を造る。
【００１８】
なお、図１と図２では、図示する都合上、ひび割れガラス球（１）のひび割れ（３）にかなりの隙間があるかのように図示しているが、実際のひび割れガラス球（１）のひび割れ（３）の隙間は限りなくゼロに近く、ひび割れ（３）を指先で触っても隙間を確認できず、また、拡大鏡で見ても隙間を確認できないほど、ごくわずかな隙間しかない。
【００１９】
ひび割れガラス球（１）のひび割れ（３）の隙間は極めて小さいので、通常の接着剤をひび割れガラス球（１）に塗布しても、接着剤はひび割れ（３）の隙間に全く入っていかないが、ごく低粘度の二液性の透明性エポキシ樹脂液をひび割れガラス球（１）の表面に塗布すると、毛細管現象や、透明樹脂液とひび割れガラス球（１）の温度変化と温度差によって生じるひび割れ内の空気の負圧によって、透明樹脂液がひび割れの隙間に浸透していき、その透明樹脂液がもっている硬化時間に応じて硬化する。
【００２０】
なお、透明性エポキシ樹脂液の代わりにアクリル樹脂液などを用いることもでき、また、主剤と硬化剤を混ぜて使う二液性の樹脂液は、混ぜると化学反応によって発熱した後に徐々に温度が下がっていくので、透明樹脂液とひび割れガラス球（１）の間に温度差が生じる。
【００２１】
透明樹脂液をひび割れガラス球（１）の表面に塗布する方法には、刷毛でひび割れガラス球（１）に透明樹脂液を塗る。  吹き付け塗装の要領でひび割れガラス球（１）に透明樹脂液を吹き付ける。必要量のひび割れガラス球（１）と少量の透明樹脂液を容器内で撹拌してひび割れガラス球（１）に透明樹脂液を絡めるなどの方法がある。
【００２２】
ひび割れガラス球（１）の表面に塗布した透明樹脂液は、ごく低粘度のために、ひび割れガラス球（１）の表面から流下してしまい、ひび割れガラス球（１）の表面にはほとんど残らず、透明樹脂浸透ひび割れガラス球（６）は普通のガラス球の表面と同じ状態になる。
【００２３】
ひび割れガラス球（１）を構成するガラスの屈折率と、透明性エポキシ樹脂の屈折率は近接しているので、図２に示すように透明樹脂（２）が浸透した部分のひび割れは、光学的にはガラスと一体化して目視できず、光線（４）を照射しても光線（４）が透明樹脂（２）を素通りしてひび割れが無いのと同じ状態になる一方で、透明樹脂（２）が浸透していない部分のひび割れ（３）の中には空気が存在し、ガラスの屈折率と空気の屈折率には大きな差があるので、光線（４）を照射すると、ひび割れ（３）と空気の境界面で光が乱反射する。
【００２４】
ひび割れガラス球（１）のひび割れ（３）に透明樹脂液を浸透させる深さは、ひび割れガラス球（１）の表面に塗布する透明樹脂液の粘度や塗布する量によって調節でき、また、ひび割れガラス球（１）と透明樹脂液の温度差によっても調節でき、更には、透明樹脂液を塗布したひび割れガラス球（１）を圧力容器内に入れて加圧、あるいは、減圧することによっても調節できる。
【００２５】
ひび割れガラス球（１）のひび割れ（３）の隙間は極めて小さいので、ひび割れ（３）の隙間の中で硬化した透明性エポキシ樹脂は強力な接着力を発揮し、無傷のガラス球に匹敵する強度の透明樹脂浸透ひび割れガラス球（６）になる。
【００２６】
上記のような工程によって造った透明樹脂浸透ひび割れガラス球（６）と光源（５）を組み合わせて、本発明の透明樹脂浸透ひび割れガラス球を使った照明とする。
【００２７】
【発明の実施の形態】
発明の実施の形態を実施例にもとづき図面を参照して説明する。
図８に示される実施例では、板状の支持体（７）に透明樹脂浸透ひび割れガラス球（６）を設け、その面に向かい合う位置に電球や超高輝度ＬＥＤなどの光源（５）を配置して透明樹脂浸透ひび割れガラス球を使った照明を構成する。
この実施例において、透明樹脂浸透ひび割れガラス球（６）の代わりに、ひび割れガラス球（１）を板状の支持体（７）の上に配置した後に、そのひび割れガラス球（１）の上から透明樹脂液を塗布してひび割れガラス球（１）を透明樹脂浸透ひび割れガラス球（６）にするとともに、ひび割れガラス球（１）から流下した透明樹脂液によって透明樹脂浸透ひび割れガラス球（６）を支持体（７）に接着することもできる。
【００２８】
図９に示される実施例では、板状の支持体（７）に透明樹脂浸透ひび割れガラス球（６）を設け、その透明樹脂浸透ひび割れガラス球（６）の配列の周囲に超高輝度ＬＥＤなどの光源（５）を配置して透明樹脂浸透ひび割れガラス球を使った照明を構成する。
この実施例において、透明樹脂浸透ひび割れガラス球（６）の代わりに、ひび割れガラス球（１）を板状の支持体（７）の上に配置した後に、そのひび割れガラス球（１）の上から透明樹脂液を塗布してひび割れガラス球（１）を透明樹脂浸透ひび割れガラス球（６）にするとともに、ひび割れガラス球（１）から流下した透明樹脂液によって透明樹脂浸透ひび割れガラス球（６）を支持体（７）に接着することもできる。
【００２９】
図１０に示される実施例では、透明なびん（８）の内部の側面に透明樹脂浸透ひび割れガラス球（６）を面状に接着して設け、その透明なびん（８）の外側にスポットライトなどの照明器具（９）を配置して透明樹脂浸透ひび割れガラス球を使った照明を構成する。
この実施例において、透明樹脂浸透ひび割れガラス球（６）の代わりに、必要量のひび割れガラス球（１）と少量の透明樹脂液を容器内で撹拌して、ひび割れガラス球（１）に透明樹脂液を絡めた後に、それを、横に寝かせた透明なびん（８）に入れて、ひび割れガラス球（１）を透明樹脂浸透ひび割れガラス球（６）にするとともに、透明樹脂浸透ひび割れガラス球（６）から流下した透明樹脂液によって、透明樹脂浸透ひび割れガラス球（６）をびん（８）の内部の側面に接着することもできる。
【００３０】
図１１に示される実施例では、台座（１０）の上に直径の大きい透明樹脂浸透ひび割れガラス球（６）を設け、その透明樹脂浸透ひび割れガラス球（６）に相対する位置に、スポットライトなどの照明器具（９）を配置して透明樹脂浸透ひび割れガラス球を使った照明を構成する。
【００３１】
上記のような実施例の他にも、透明樹脂浸透ひび割れガラス球（６）が球体であることによって、さまざまな形態にできるので、ネオンサインに類似する照明、電飾看板、店舗の装飾、家電製品の装飾、装飾的な時計などさまざまな装飾的な照明を構成できる。
【００３２】
【発明の効果】
本発明は、以上説明したように構成されているので、以下に記載するような効果を奏する。
【００３３】
図２に示すように、ひび割れガラス球（１）のひび割れ（３）に透明樹脂（２）を浸透させることによって、透明樹脂が浸透した部分のひび割れは、光学的にはひび割れが無いのと同じ状態にできる。それによって、透明樹脂浸透ひび割れガラス球（６）では、普通のガラス球が持っている凸レンズとしての働きや透明感や表面の艶を復活させることができる。
【００３４】
上記の効果より、透明樹脂浸透ひび割れガラス球（６）の表面や内部の表面に近い部分は、光学的に普通のガラス球の働きをせることができるとともに、球の中心に近い部分はひび割れガラス球の働きをせることができる。つまり、透明樹脂浸透ひび割れガラス球（６）には、ひび割れガラス球（１）の働きと普通のガラス球の働きを兼ね備えさせることができる。
【００３５】
ひび割れガラス球（１）のひび割れ（３）に透明樹脂（２）を浸透させる度合いは、透明樹脂液の粘度、ひび割れガラス球（１）に塗布する透明樹脂液の量、透明樹脂液とひび割れガラス球（１）の温度差、透明樹脂液を浸透させる作業環境の圧力の調整などによって種々変えられるので、ひび割れガラス球（１）のひび割れ（３）を任意の深さまで光学的に消すことも、ひび割れガラス球（１）の内部のひび割れ（３）の密度を任意の密度まで光学的に疎にすることもできる。
【００３６】
ガラス球の表面や表面に近い部分は無傷のままで、ガラス球の内部の中心に近い部分だけにひび割れを生じさせることは技術的に困難であるが、透明樹脂浸透ひび割れガラス球（６）によって、光学的には、ガラス球の表面や内部の表面に近い部分は無傷のままで、ガラス球の内部の中心に近い部分だけにひび割れを生じさせることができる。
【００３７】
図６に示すように、透明樹脂浸透ひび割れガラス球（６）では、普通のガラス球が持っている凸レンズとしての働きや透明感や表面の艶が復活しているので、光源（５）から照射した光を以下に記載のように複雑に変化させることができる。
（イ）  光源（５）からの光線（４）を、透明樹脂浸透ひび割れガラス球（６）に入る部分と出る部分で屈折させることができる。
（ロ）  透明樹脂浸透ひび割れガラス球（６）の表面と周りの空気が接する境界面の内面は、ある程度以下の入射角の光に対して鏡の働きをするので、光源（５）からの光線（４）やひび割れ（３）からの反射光を複雑に反射させることができる。
（ハ）  実験結果から、ひび割れガラス球（１）のひび割れ（３）に透明樹脂液が浸透していく深さは均一ではなく、透明樹脂液の浸透がひび割れガラス球（１）の表面に近い部分にとどまるひび割れもあれば、透明樹脂液の浸透がひび割れガラス球（１）の中心まで到達するひび割れもあるので、透明樹脂浸透ひび割れガラス球（６）ではひび割れを間引いて、ひび割れを疎にするとともに、一つ一つの透明樹脂浸透ひび割れガラス球（６）の内部のひび割れに個性を生じさせることができる。
（ニ）  （ハ）によって、透明樹脂浸透ひび割れガラス球（６）の内部のひび割れが疎になっているので、光源（５）からの光線（４）の一部をひび割れの間隙をぬって素通りさせることができる。  （ホ）  （ハ）によって、一つ一つの透明樹脂浸透ひび割れガラス球（６）の内部のひび割れに個性が生じ、変化に富んだ光り方をさせることができる。
（ヘ）  （イ）（ロ）（ハ）（ニ）（ホ）の効果の複合によって、光源（５）に相対する透明樹脂浸透ひび割れガラス球（６）の表側の部分のひび割れだけでなく、透明樹脂浸透ひび割れガラス球（６）の裏側の部分のひび割れまで光を到達させて、透明樹脂浸透ひび割れガラス球（６）全体のひび割れを変化に富んだ光り方で美しく輝かせることができる。
【００３８】
上記の（イ）（ロ）（ハ）（ニ）（ホ）（ヘ）の効果の複合によって、図７に示すように、透明樹脂浸透ひび割れガラス球（６ａ）から、透明樹脂浸透ひび割れガラス球（６ｂ）へ、透明樹脂浸透ひび割れガラス球（６ｂ）から、透明樹脂浸透ひび割れガラス球（６ｃ）へと光源（５）からの光が進んでいくので、一つの光源（５）で直列に並べた複数の透明樹脂浸透ひび割れガラス球（６）のひび割れを変化に富んだ光り方で美しく輝かせることができる。
この効果により、図９に示すような透明樹脂浸透ひび割れガラス球を使った照明を構成した場合、縦、横、斜めと、さまざまな方向から透明樹脂浸透ひび割れガラス球（６）に光が照射されることになり、他の装飾的な照明に類を見ない美しさを実現できる。
【００３９】
ひび割れガラス球（１）のひび割れ（３）の隙間は極めて小さいので、ひび割れ（３）の隙間の中で硬化した透明樹脂は強力な接着力を発揮し、透明樹脂浸透ひび割れガラス球（６）を無傷のガラス球に匹敵する強度にすることができる。ガラスに対して強力な接着力を持つ透明性エポキシ樹脂の働きと、接着剤は接着物間の隙間が小さいほど大きな接着力を発揮することにより、透明樹脂浸透ひび割れガラス球（６）を無傷のガラス球に匹敵する強度にすることができる。
【００４０】
従来の技術（特許公開平６−１２９０２号公報参照）に、ひび割れガラス球（１）の表面全体を樹脂などの透明材料で覆ってひび割れガラス球（１）を補強する案がある。その案では、ひび割れガラス球（１）を補強するのに、ある程度の厚さの透明樹脂で覆う必要があり、それでは、ひび割れガラス球（１）の表面の透明感や艶が失われるとともに、経年変化によって透明樹脂が黄変して見栄えが悪くなるが、本発明では、ひび割れガラス球（１）のひび割れ（３）の極めて小さい隙間の中だけで透明樹脂が強力な接着力を発揮し、無傷のガラス球に匹敵する強度が得られ、ひび割れ（３）の隙間の中の透明樹脂（２）の厚さは、ごくわずかのために、経年変化による透明樹脂の黄変の影響をほとんど受けないとともに、ひび割れガラス球（１）の表面の透明樹脂液は流下してしまうので、透明樹脂浸透ひび割れガラス球（６）では無傷のガラス球に匹敵する透明感や表面の艶を復活させることができる。
【００４１】
透明樹脂（２）に、ひび割れガラス球（１）のひび割れ（３）を光学的に消し去る働きと、透明樹脂浸透ひび割れガラス球（６）を無傷のガラス球に匹敵する強度にする働きの二つの働きをさせることができる。更には、実施例の部分で説明しているように、透明樹脂浸透ひび割れガラス球（６）から流下した透明樹脂液を、透明樹脂浸透ひび割れガラス球（６）を支持体（７）に接着することに利用すれば、透明樹脂（２）に三つの働きをさせることができる。
【図面の簡単な説明】
【図１】ひび割れに透明樹脂を浸透させたひび割れガラス球（１）を拡大した断面図である。
【図２】ひび割れに透明樹脂を浸透させたひび割れガラス球（１）を更に拡大した一部分の断面図である。
【図３】ひび割れガラス球（１）を拡大した正面図である。
【図４】ひび割れガラス球（１）を二分割した破断面を拡大した正面図である。
【図５】ひび割れガラス球（１）を拡大した断面図である（図が複雑になるので断面を表す斜線を省略）。
【図６】透明樹脂浸透ひび割れガラス球（６）を拡大した断面図である（図が複雑になるので断面を表す斜線を省略）。
【図７】透明樹脂浸透ひび割れガラス球（６）を３個並べて拡大した断面図である（図が複雑になるので断面を表す斜線を省略）。
【図８】透明樹脂浸透ひび割れガラス球（６）と光源（５）を組み合わせた照明の実施例（イ）を示す側面図である。
【図９】透明樹脂浸透ひび割れガラス球（６）と光源（５）を組み合わせた照明の実施例（ロ）を示す正面図である。
【図１０】透明樹脂浸透ひび割れガラス球（６）と光源（５）を組み合わせた照明の実施例（ハ）を示す断面図である。
【図１１】透明樹脂浸透ひび割れガラス球（６）と光源（５）を組み合わせた照明の実施例（ニ）を示す側面図である。
【符号の説明】
１  ひび割れガラス球
２  透明樹脂
３  ひび割れ
４  光線
５  光源
６  透明樹脂浸透ひび割れガラス球
７  支持体
８  びん
９  照明器具
１０  台座
【図１】
2004265747.tif 000003
【図２】
2004265747.tif 000004
【図３】
2004265747.tif 000005
【図４】
2004265747.tif 000006
【図５】
2004265747.tif 000007
【図６】
2004265747.tif 000008
【図７】
2004265747.tif 000009
【図８】
2004265747.tif 000010
【図９】
2004265747.tif 000011
【図１０】
2004265747.tif 000012
【図１１】
2004265747.tif 000013